(57)【要約】  光学的温度計測の対象物として用いられる温度感応体（１０２）は、温度の変化に応じて照射光に対する光学的性質が変化する内包物（２００）と、内包物（２００）を包み、光が通過可能な外殻部材（２０２）とを備えている。温度計測では、内包物（２００）に光が照射されると、内包物（２００）から光が出射される。温度の変化に応じて照射光に対する光学的性質が変化するので、出射光を分析することで、内包物（２００）の温度が検出される。内包物（２００）の温度により、温度感応体を設けた位置の温度が検出される。
2011040588.tif 000002
【特許請求の範囲】
【請求項１】
温度の変化に応じて照射光に対する光学的性質が変化する内包物と、  上記内包物を包み、光が通過可能な外殻部材とを備え、  光学的温度計測の対象物として用いられることを特徴とする温度感応体。
【請求項２】
請求項１において、  上記内包物は、光透過性を有し、温度の変化に応じて照射光に対する透過特性が変化することを特徴とする温度感応体。
【請求項３】
請求項２において、  上記内包物は、照射光を再帰反射させることを特徴とする温度感応体。
【請求項４】
請求項１乃至３の何れか１つにおいて、  上記外殻部材は、概ね球状の中空粒子であることを特徴とする温度感応体。
【請求項５】
請求項１乃至４の何れか１つに記載の温度感応体と、  上記温度感応体に接続され、該温度感応体の内包物に照射する光を伝達する入射側導光路と、  上記温度感応体に接続され、上記内包物から出射された光を伝達する出射側導光路とを備えていることを特徴とする光学式温度センサ。
【請求項６】
請求項５に記載の光学式温度センサと、  上記入射側導光路の入口へ向けて光を出射する光源と、  上記出射側導光路の出射光を受光し、該出射光を分析して上記温度感応体の温度を検出する光分析装置とを備えていることを特徴とする温度計測装置。
【請求項７】
請求項５に記載の光学式温度センサと、  上記入射側導光路の入口へ向けて光を出射する光源と、  上記出射側導光路の出射光を受光し、該出射光を分析して温度感応体の温度の変化量を検出し、該変化量から温度感応体の熱流束を検出する光分析装置とを備えていることを特徴とする熱流束計測装置。 
【発明の詳細な説明】
【技術分野】
【０００１】  本発明は、温度に依存する光学的性質の変化を利用する温度計測のための温度感応体と、その温度感応体を用いた光学式温度センサ、温度計測装置及び熱流束計測装置に関する。
【背景技術】
【０００２】  従来、温度や熱流束を計測する手法として、計測位置に熱電対やサーミスタを取り付ける電気的手法が広く用いられてきた。例えば特許文献１には、タービン本体から排出される排ガスの温度を計測する温度計測装置が開示されている。この温度計測装置では、ディフューザ内部に設置された保護管に熱電対の先端が固定されている。
【先行技術文献】
【特許文献】
【０００３】
【特許文献１】特開２００７−２０６０２３号公報
【発明の開示】
【発明が解決しようとする課題】
【０００４】  しかし、従来の温度計測装置では、熱電対に応答遅れがあることから、高い時間応答性を得ることが困難であった。【０００５】  本発明は上述の実情に鑑みなされたものであって、その目的は、温度の変化に応じて照射光に対する光学的性質が変化する物質を利用して、時間応答性の高い温度計測を実現することにある。
【課題を解決するための手段】
【０００６】  第１の発明は、温度の変化に応じて照射光に対する光学的性質が変化する内包物と、上記内包物を包み、光が通過可能な外殻部材とを備え、光学的温度計測の対象物として用いられる温度感応体。【０００７】  第１の発明では、温度の変化に応じて照射光に対する光学的性質が変化する内包物が、外殻部材に包まれている。温度感応体は、光学的温度計測の対象物として用いられる。温度計測では、内包物に光が照射される。その結果、内包物から光が出射される。温度の変化に応じて照射光に対する光学的性質が変化するので、出射光を分析することで、内包物の温度が検出される。内包物の温度により、温度感応体を設けた位置の温度が検出される。このように、第１の発明では、温度の変化に応じて照射光に対する光学的性質が変化する物質を利用した温度計測が行われる。【０００８】  第２の発明は、第１の発明において、上記内包物が、光透過性を有し、温度の変化に応じて照射光に対する透過特性が変化する。【０００９】  第２の発明では、内包物に光を照射した場合に、光が内包物を透過する。そして、内包物が温度の変化に応じて照射光に対する透過特性が変化するので、例えば光の透過率を分析することで内包物の温度が検出される。【００１０】  第３の発明は、第２の発明において、上記内包物が、照射光を再帰反射させる。【００１１】  第３の発明では、照射光が内包物で再帰反射する。【００１２】  第４の発明は、第１乃至３の何れか１つの発明において、上記外殻部材が、概ね球状の中空粒子である。【００１３】  第４の発明では、外殻部材が概ね球状の中空粒子であるため、外殻部材とそれに包まれる内包物が変形しにくい。【００１４】  第５の発明は、第１乃至４の何れか１つの発明の温度感応体と、該温度感応体に接続され、該温度感応体の内包物に照射する光を伝達する入射側導光路と、上記温度感応体に接続され、上記内包物から出射された光を伝達する出射側導光路とを備えている光学式温度センサ。【００１５】  第５の発明では、温度感応体に対して入射側導光路から光が照射され、温度感応体から戻る光が出射側導光路から出射される。【００１６】  第６の発明は、第５の発明の光学式温度センサと、上記入射側導光路の入口へ向けて光を出射する光源と、上記出射側導光路の出射光を受光し、該出射光を分析して上記温度感応体の温度を検出する光分析装置とを備えている温度計測装置。【００１７】  第６の発明では、光学式温度センサに対して、出射側導光路の出射光を分析して温度感応体の温度を検出する光分析装置が設けられている。【００１８】  第７の発明は、第５の発明の光学式温度センサと、上記入射側導光路の入口へ向けて光を出射する光源と、上記出射側導光路の出射光を受光し、該出射光を分析して温度感応体の温度の変化量を検出し、該変化量から温度感応体の熱流束を検出する光分析装置とを備えている熱流束計測装置。【００１９】  第７の発明では、光学式温度センサに対して、出射側導光路の出射光を分析して温度感応体の温度の変化量を検出し、該変化量から温度感応体の熱流束を検出する光分析装置が設けられている。
【発明の効果】
【００２０】  本発明では、温度の変化に応じて照射光に対する光学的性質が変化する物質を利用した温度計測が行われる。従って、熱電対のような応答遅れがなく、時間応答性の高い温度計測を実現することができる。【００２１】  上記第４の発明では、外殻部材が概ね球状の中空粒子であるため、外殻部材とそれに包まれる内包物が変形しにくい。そのため、内包物を光が透過する場合に光路長の変化量が抑制されるので、温度計測の精度を向上させることができる。
【図面の簡単な説明】
【００２２】
【図１】温度計測装置の概略構成図である。
【図２】実施形態の光学式温度センサの概略構成図である。
【図３】実施形態の変形例１の光学式温度センサの概略構成図である。
【図４】実施形態の変形例２の光学式温度センサの概略構成図である。
【発明を実施するための形態】
【００２３】  以下、本発明の実施形態を図面に基づいて詳細に説明する。なお、以下の実施形態は、本質的に好ましい例示であって、本発明、その適用物、あるいはその用途の範囲を制限することを意図するものではない。
【００２４】  図１に示すように、温度計測装置１００は、光学式温度センサ１１０と光源装置１２０と光計測装置１３０と演算装置１４０とを備えている。光学式温度センサ１１０は、概ね球状の温度感応体１０２と、該温度感応体１０２から延びる第１及び第２の光ファイバー１０４，１０６とを備えている。光源装置１２０は、光学式温度センサ１１０から延びる第１光ファイバー１０４に接続されている。光計測装置１３０は、光学式温度センサ１１０から延びる第２光ファイバー１０６に接続されている。演算装置１４０は、光計測装置１３０に接続され、光計測装置１３０の出力信号を受信する。
【００２５】  図２に示すように、温度感応体１０２は、概ね球状の中空粒子からなる外殻部材２００と、外殻部材２００の中に封入された内包物２０２とを有する。外殻部材２００は、光透過性を有している。従って、外殻部材２００の外側からの光は、外殻部材２００を透過して内包物２０２に到達する。また、内包物２０２の表面から出射される光は、外殻部材２００を透過して外殻部材２００の外側に出射される。
【００２６】  内包物２０２は、外殻部材２００に包まれ、温度の変化に応じて照射光に対する光学的性質が変化する。内包物２０２としては、温度感応性の蛍光剤を用いることができる。この場合、内包物２０２は、光が照射されると、そのときの自身の温度に応じた蛍光を発する。
【００２７】  なお、内包物２０２は、温度変化に伴って透過率が変化する透過性の物質であってもよいし、温度変化に伴って吸収スペクトルが変化する光透過性の物質であってもよい。この場合、内包物２０２では、光が照射されると、照射光が内包物２０２の温度に応じた屈折率で屈折しつつ内包物２０２内に入射する。内包物２０２内に入射した光は、内包物２０２の温度に応じて散乱しつつ内包物２０２内を進行し、最終的に内包物２０２から出射される。内包物２０２から出射する蛍光、反射光、透過光、または散乱光（以下、これらを「応答光」と呼ぶ）には、内包物２０２の温度が反映されている。
【００２８】  内包物２０２には、その光学的性質の温度依存性が高い物質を選ぶとよいが、このような物質が、熱や外力に対して堅牢であるとは限らない。内包物２０２としては、二酸化炭素や水など常温常圧で気相または液相にある物質を用いることも可能である。このような物質は、位置や大きさを一定に保つことが難しい。そこで、温度感応体１０２の熱や外力に対する幾何学的な安定性を得るために、外殻部材２００として、計測対象物質の想定温度範囲において固形を維持し、その熱膨張率が内包物２０２の熱膨張率未満であり、その体積弾性率が内包物２０２の体積弾性率より高く、固体から液体への相転移温度が内包物２０２の相転移温度より高い物質が用いられる。このような物質を選ぶことにより、外殻部材２００及び内包物２０２の形状が、想定温度範囲で安定するとともに、内包物２０２の変形が抑制される。
【００２９】  外殻部材２００は、計測に支障が無い範囲において小径のものであることが望ましい。外殻部材２００が小径であるほど温度感応体１０２の熱容量が小さくなるため、温度変化に対する応答性が向上する。また、外殻部材２００が小径であるほど外力に対する形状安定性が増す。内包物２０２が想定温度範囲において流体である場合は、外殻部材２００が小径であるほど内包物２０２の対流が抑制される。
【００３０】  外殻部材２００は、赤外域の光に対して透過特性を有していることが望ましい。赤外域の光に対して透過特性を有していれば、外殻部材２００の輻射熱による変形を低減できる。さらに、輻射熱の内包物２０２への伝達性が増すので、温度感応体１０２の輻射熱に対する応答性が増す。
【００３１】  温度変化に対する感度が高い応答光が内包物２０２を透過する場合は、外殻部材２００として、その絶対屈折率が内包物２０２の絶対屈折率未満のものを選んでもよい。このようにすれば、照射光を内包物２０２において再帰反射させることができる。従って、照射光の照射方向と応答光の受光方向を一致させることができる。再帰反射させる場合は、内包物２０２を透過する光の光路長を長く取ることができる。
【００３２】  ここで、温度感応体１０２を製造する際には、例えば相転移温度の違いを利用してもよい。外殻部材２００の相転移温度が内包物２０２の相転移温度より高ければ、外殻部材２００の原料（液体）と内包物２０２の原料（液体）との高温の混合物を準備し、これを冷却する際に外殻部材２００の原料の相転移温度付近の温度帯を所定時間維持すれば、内包物２０２が外殻部材２００に包まれた温度感応体１０２を得ることができる。
【００３３】  第１光ファイバー１０４は、そのコアからの出射光を内包物２０２に照射する位置に接続される。第２光ファイバー１０６は、そのコアに内包物２０２からの応答光が入射するように接続される。図２においては、第１光ファイバー１０４及び第２光ファイバー１０６は、外殻部材２００に直接接合されている。このようにすれば、第１及び第２光ファイバー１０４,１０６と温度感応体１０２との間に介在物がなくなるため、介在物の温度変化に伴う計測誤差の発生を排除できる。温度感応体１０２が照射光を再帰反射するものであれば、図２に示すように、第１光ファイバー１０４からの光の入射方向と第２光ファイバー１０６への応答光の入射方向とが球状の内包物２０２の中心に対して対称になるように、第１光ファイバー１０４及び第２光ファイバー１０６を接続する。
【００３４】  光源装置１２０は、第１光ファイバー１０４の入口へ向けて光を出射する。光源装置１２０には、光学式温度センサ１１０より良好な応答光が得られるよう、種々の一般的な光学式温度計測に用いられる光源装置から選ばれる。光源装置１２０は、内包物２０２及び計測方式に応じて適宜選ばれる。光源装置１２０は、例えばパルスレーザ装置であってもよいし、発光ダイオード、電球、ランプであってもよい。
【００３５】  光計測装置１３０は、演算装置１４０と共に、温度感応体２００の出射光を受光し、該出射光を分析して上記内包物２０２の温度を検出する光分析装置を構成している。光計測装置１３０は、光学式温度センサ１１０からの応答光を良好に計測できるよう、種々の一般的な光学式温度計測に用いられる光計測装置から選ばれる。光計測装置１３０は、内容物２０２及び計測方式に応じて適宜選ばれる。光計測装置１３０は、例えば応答光の強度が温度と相関する場合は、光度計を用いることができるし、例えば応答光のスペクトルが温度と相関する場合は、分光光度計を用いることができる。
【００３６】  演算装置１４０は、一般的なコンピュータハードウェアと、そのハードウェア上で動作するプログラム及びデータとにより実現される。コンピュータ自体の動作及び機能については周知であり、ここでは説明を省略する。
【００３７】  演算装置１４０は、次の２つの機能モジュールを備える。具体的に、演算装置１４０は、予め記憶しておいた内包物２０２の光学的性質と温度との関係式に基づいて、光計測装置１３０が出力する応答光の計測結果（例えば、光の強度）を温度に換算する第１機能モジュールと、温度算出機能により得られた温度の変化量に基づいて内包物２００の熱流束を算出する第２機能モジュールとを有する。第１機能モジュールは、内包物２００の温度、つまり温度感応体１０２が配置された位置の温度を検出する。第２機能モジュールは、温度感応体１０２の体積Ｖ（ｍ3）及び伝熱面積Ｓ（ｍ2）、並びに内包物２０２の比熱Ｃｖ（Ｔ）（Ｊ／ｍ3・Ｋ）、並びに第１機能モジュールによる温度の計測結果の単位時間あたりの変化量ΔＴ（Ｋ／ｓｅｃ）から、温度感応体１０２の配置された領域における熱流束ｑ（Ｗ／ｍ2）を算出する。
【００３８】  第１機能モジュールにおける演算手法は、内容物２０２及び計測方式に応じて、種々の一般的な光学式温度計測に用いられる換算手法から適宜選ばれる。第１機能モジュールにおける演算は、プログラムによる数値計算であってもよく、予め用意した換算表による換算であってもよい。
【００３９】  第２機能モジュールにおける熱流束ｑ（Ｗ／ｍ2）の算出には、式１が用いられる。なお、式１にさらに、第１及び第２光ファイバー１０４，１０６の温度補正項を加味した式を用いてもよい。式１：ｑ＝Ｃｖ（Ｔ）・Ｖ・ΔＴ／Ｓ    −実施形態の効果−
【００４０】  本実施形態では、温度の変化に応じて照射光に対する光学的性質が変化する物質を利用した温度計測が行われる。従って、熱電対のような応答遅れがなく、時間応答性の高い温度計測を実現することができる。また、外殻部材２００が概ね球状の中空粒子であるため、外殻部材２００とそれに包まれる内包物２０２が変形しにくい。そのため、内包物２０２を光が透過する場合に光路長の変化量が抑制されるので、温度計測の精度を向上させることができる。また、外殻部材２００が光透過性を有するので、光の照射及び内包物２０２からの光の計測が容易である。また、赤外輻射を内包物２０２まで伝えるため、この温度感応体１０２は、輻射熱に対しても良好に応答する。また、光ファイバー１０４，１０６と温度感応体１０２との間に介在物はないので、介在物の温度変化に伴う誤差が回避される。    −実施形態の変形例１−
【００４１】  変形例１では、図３に示すように、第１及び第２光ファイバー１０４，１０６のクラッドと外殻部材２００とが一体成型されている。外殻部材２００には、内包物２０２に照射する光を外殻部材２００内へ入射させるための入射部と、内包物２０２から戻る光りを外殻部材２００外へ出射させるための出射部とが設けられている。第１光ファイバー１０４は入射部に接続されている。第２光ファイバー１０６は出射部に接続されている。第１及び第２光ファイバー１０４，１０６のコアは、内包物２０２の表面に当接している。第１及び第２光ファイバー１０４，１０６のクラッドと外殻部材２００とは、同一の材料から構成されている。    −実施形態の変形例２−
【００４２】  変形例２では、図４に示すように、１本の光ファイバー１０８が、入射側導光路と出射側導光路とを兼ねている。光源装置１２０、光ファイバー１０８、及び光計測装置１３０の間には、入射光と応答光とを分けるための分岐光学系が設けられている。    −実施形態の変形例３−
【００４３】変形例３では、応答光の集光用に複数の光ファイバーが設けられている。この場合、透過光、反射光、及び散乱光のうち選ばれた１種類の光を全ての光ファイバーが集光するようにしてもよいし、光ファイバーがそれぞれ別の種類の光を集光するようにしてもよい。    −実施形態の変形例４−
【００４４】  変形例４では、温度感応体１０２が配置された空間（例えばエンジンの燃焼室）の発光状態が、温度及び熱流束の計測と併せて行われる。その場合、外殻部材２０２には光透過性のものが用いられる。温度感応体１０２の外側の発光は、外殻部材２０２及び内包物２０２を介して第２光ファイバー１０６に導かれ、第２光ファイバー１０６の出射光を用いて、対象とする発光の強度が分析される。ただし、外部からの光の波長成分と応答光との波長成分とが重複しないよう、内容物２０２の成分や光学的特性を適切に選択することが必要である。
【産業上の利用可能性】
【００４５】  以上説明したように、本発明は、温度に依存する光学的性質の変化を利用する温度計測のための温度感応体と、その温度感応体を用いた光学式温度センサ、温度計測装置及び熱流束計測装置について有用である。
【符号の説明】
【００４６】  １００  温度計測装置  １０２  温度感応体  １０４  第１光ファイバー（入射側導光路）  １０６  第２光ファイバー（出射側導光路）  １１０  光学式温度センサ  １２０  光源装置（光源）  １３０  光計測装置（光分析装置）  １４０  演算装置（光分析装置）  ２００  内包物  ２０２  外殻部材 
【図１】
2011040588.tif 000003
【図２】
2011040588.tif 000004
【図３】
2011040588.tif 000005
【図４】
2011040588.tif 000006
【国際調査報告】
2011040588.tif 000007
2011040588.tif 000008
2011040588.tif 000009
2011040588.tif 000010